(57)【要約】【課題】カラオケ店舗のシステムに大きな変更や負担を強いることなく、既存のハードウェア資源を有効に活用しつつ、カラオケ装置の利用者が利用料金を精算した後、その店舗での演奏履歴をいつでも見ることができるようにする。【解決手段】カラオケ装置１０は、演奏曲の楽曲ＩＤと演奏日時を対応付けた演奏履歴を利用客ごとの利用区分履歴に分けて記録し、ＰＯＳレジ３１は、カラオケ利用客の料金精算に伴い、利用客に発行する料金精算レシート３２に利用区分特定情報を付加印刷し、データベースサーバ４０は、各カラオケ店舗システム３０から収集した利用区分特定情報に対応付けされた利用区分履歴を演奏履歴データベースに集約し、公衆通信網を介してアクセスしてくる利用者コンピュータ５０から利用区分特定情報を受信した際、その情報に基づいて利用区分履歴を特定し、この利用区分履歴中の楽曲ＩＤに対応する曲名・アーティスト名および演奏日時のリストを作成して当該利用者コンピュータ５０に送信する。【選択図】  図１
2010256424.tif 000002
【特許請求の範囲】
【請求項１】
複数のカラオケ店舗システムがデータベースサーバと通信可能な情報処理システムであって、
カラオケ店舗システムは、カラオケ装置とＰＯＳレジが通信可能に接続され、
カラオケ装置は、演奏曲の楽曲ＩＤと演奏日時を対応付けした演奏履歴を時系列に記録するとともに、記録された演奏履歴集合における時系列上連続した複数の演奏履歴からなる部分集合を利用区分履歴として定義する区分定義情報を記録し、
ＰＯＳレジは、カラオケ利用客の料金精算に伴い、当該料金精算対象のカラオケ利用事象に対して生成された利用区分特定情報を当該利用客が使用したカラオケ装置における当該利用客に対応する利用区分履歴に対応付けして記録するとともに、当該利用客に発行する料金精算レシートに当該利用区分特定情報を付加印刷し、
データベースサーバは、各カラオケ店舗システムから収集した利用区分特定情報に対応付けされた利用区分履歴を演奏履歴データベースに集約し、
データベースサーバは、楽曲ＩＤと曲名とアーティスト名を対応付けした楽曲目次データベースを備え、
データベースサーバは、公衆通信網を介してアクセスしてくる利用者コンピュータと通信可能であり、利用者コンピュータから利用区分特定情報を受信した際、当該利用区分特定情報に対応付けされた利用区分履歴を演奏履歴データベースから抽出し、楽曲目次データベースを参照し、利用区分履歴中の楽曲ＩＤに対応する曲名・アーティスト名のリストを作成して当該利用者コンピュータに送信する
情報処理システム。
【請求項２】
データベースサーバは、利用者コンピュータに送信する前記リストに演奏日時の情報を含める
請求項１に記載の情報処理システム。
【発明の詳細な説明】
【技術分野】
【０００１】
この発明は、カラオケ店の演奏履歴を扱う情報処理システムに関し、とくに、カラオケ店舗の利用客がカラオケ装置で演奏した曲目リストを後日に見ることができるようにしたものに関する。
【背景技術】
【０００２】
カラオケ店舗を利用した客が、その店舗のカラオケ装置に演奏させた曲目のリストを後日になって見ることができれば、そのときに一緒にカラオケを楽しんだ仲間との話題作りや次回利用の参考とすることができる。また、その曲目リストが思い出や記念となる。
【０００３】
特許文献１（特開平８−９６２５９号）のカラオケ店用会計装置は、顧客に発行されるレシートに、売り上げデータおよび会計データに加えて、その顧客が使用したカラオケ装置でのリクエスト曲データを印字させる。このレシートを受けとった顧客はメモをとらなくても当日のリクエスト曲名等を正確に知ることができ、またそのレシートを思い出の記念とすることができる。
【０００４】
特許文献２（特開２００３−２２８３８３号）の情報処理システムは、利用料金の請求対象となる期間にカラオケ装置で演奏した曲名などの利用情報をカラオケ装置から取得して一時記憶し、利用料金の明細書を印刷する際に、料金請求の対象期間に演奏した曲目リストを印刷する。利用者はその明細書を利用仲間との話題作りや次の機会での楽曲検索に役立てることができる。
【先行技術文献】
【特許文献】
【０００５】
【特許文献１】特開平８−９６２５９号公報
【特許文献２】特開２００３−２２８３８３号公報
【発明の概要】
【発明が解決しようとする課題】
【０００６】
カラオケ店舗におけるカラオケ装置の演奏履歴は、カラオケ利用仲間との話題作りや思い出の良い記念となる。また、演奏した曲目の正しい曲名やアーティスト名などを確認したりするのにも役立つ。こういったことを考慮すると、その演奏履歴は、利用者がパソコンや携帯端末などの利用者コンピュータを使っていつでも見ることができるのが望ましい。それができれば仲間との話題作りも一層やりやすくなる。また、その演奏履歴を一人で見て楽しい思い出に耽ることもできる。
【０００７】
この発明の目的は、カラオケ店舗のシステムに大きな変更や負担を強いることなく、既存のハードウェア資源を有効に活用しつつ、カラオケ装置の利用者が利用料金を精算した後、その店舗での演奏履歴をいつでも見ることができるようにした情報処理システムを提供することにある。
【課題を解決するための手段】
【０００８】
この発明に係る情報処理システムは、つぎの事項（１）〜（７）により特定されるものである。  
（１）複数のカラオケ店舗システムがデータベースサーバと通信可能な情報処理システムであること
（２）カラオケ店舗システムは、カラオケ装置とＰＯＳレジが通信可能に接続されていること
（３）カラオケ装置は、演奏曲の楽曲ＩＤと演奏日時を対応付けした演奏履歴を時系列に記録するとともに、記録された演奏履歴集合における時系列上連続した複数の演奏履歴からなる部分集合を利用区分履歴として定義する区分定義情報を記録すること
（４）ＰＯＳレジは、カラオケ利用客の料金精算に伴い、当該料金精算対象のカラオケ利用事象に対して生成された利用区分特定情報を当該利用客が使用したカラオケ装置における当該利用客に対応する利用区分履歴に対応付けして記録するとともに、当該利用客に発行する料金精算レシートに当該利用区分特定情報を付加印刷すること
（５）データベースサーバは、各カラオケ店舗システムから収集した利用区分特定情報に対応付けされた利用区分履歴を演奏履歴データベースに集約すること
（６）データベースサーバは、楽曲ＩＤと曲名とアーティスト名を対応付けした楽曲目次データベースを備えること
（７）データベースサーバは、公衆通信網を介してアクセスしてくる利用者コンピュータと通信可能であり、利用者コンピュータから利用区分特定情報を受信した際、当該利用区分特定情報に対応付けされた利用区分履歴を演奏履歴データベースから抽出し、楽曲目次データベースを参照し、利用区分履歴中の楽曲ＩＤに対応する曲名・アーティスト名のリストを作成して当該利用者コンピュータに送信すること
【発明の効果】
【０００９】
カラオケ店舗のシステムに大きな変更や負担を強いることなく、既存のハードウェア資源を有効に活用しつつ、カラオケ装置の利用者が利用料金を精算した後、その店舗での演奏履歴をいつでも見ることができる。
【図面の簡単な説明】
【００１０】
【図１】この発明の一実施例を構成する情報処理システム全体の概略構成を示すブロック図である。
【図２】システムの構成要素であるカラオケ装置における記録フォーマットを例示する図である。
【図３】システムの構成要素であるデータベースサーバにおける記録フォーマットを例示する図である。
【図４】利用者コンピュータの画面表示例を示すブロック図である。
【発明を実施するための形態】
【００１１】
この発明の実施例に係る情報処理システムは、図１に例示するように、複数のカラオケ店舗システム３０とデータベースサーバ４０とで構築される。カラオケ店舗システム３０とデータベースサーバ４０間はＶＰＮ（専用回線）で接続されて互いに通信可能である。
【００１２】
各カラオケ店舗システム３０はそれぞれ複数のカラオケ部屋（レンタルルーム）を有し、各部屋にはそれぞれカラオケ装置１０が１台ずつ設置されている。利用者は通常、複数人のグループ単位で部屋を時間借りする形でカラオケ装置１０を利用する。
【００１３】
カラオケ店舗システム３０には利用料金の精算処理を行うＰＯＳレジ３１が設置されている。このＰＯＳレジ３１は店舗のフロントに設置され、店舗内のカラオケ装置１０と通信可能に接続されていて、カラオケ装置１０ごとに利用料金の精算処理を行う。
【００１４】
各カラオケ装置１０はそれぞれ、ハードディスク等の記憶媒体に演奏履歴を記録して保持する。演奏履歴は、カラオケ装置１０が演奏した曲目の楽曲ＩＤとその演奏の日時を対応付けさせたものであって、時系列に記録される。
【００１５】
利用客がカラオケ利用を終えてカラオケ部屋を退出すると、フロントのレジ担当者はＰＯＳレジ３１を操作し、その利用客のカラオケ利用事象に対する料金精算処理をＰＯＳレジ３１に指令する。
【００１６】
この指令を受けたＰＯＳレジ３１は、そのカラオケ利用事象に対する料金精算処理を行ってその利用客に料金精算シート３２を発行する。この料金精算処理に際し、ＰＯＳレジ３１は、図２に例示するように、料金精算フラグとユニーク番号を発行し、これらを精算対象となったカラオケ部屋のカラオケ装置１０に記録されている演奏履歴の末尾に記録させる。
【００１７】
料金精算フラグは料金精算済みであることを示すフラグで、今回に記録したフラグと前回に記録したフラグとの間に記録されている演奏履歴部分が、今回料金精算を行った利用客の利用区分履歴となる。つまり、その料金精算フラグは、カラオケ利用客ごとの利用区分履歴を定義する区分定義情報として機能する。
【００１８】
ユニーク番号は、たとえば数字や文字の組み合わせからなる符号であって、料金精算のイベントごとに生成される。このユニーク番号が料金精算フラグとともに、カラオケ装置１０の演奏履歴の中に割り込む形で記録されることにより、このユニーク番号は、カラオケ利用事象ごとの利用区分履歴を特定する利用区分特定情報として機能する。
【００１９】
ＰＯＳレジ３１はその利用区分特定情報（ユニーク番号）を料金精算シート３２に付加印刷する。
【００２０】
各カラオケ装置１０に利用事象ごとに区分けされて記録された利用区分履歴はデータベースサーバ４０へ送信され、図３に例示するように、そこの演奏履歴データベースに、利用区分特定情報（ユニーク番号）に対応付けられた状態で記録される。
【００２１】
データベースサーバ４０は、各カラオケ店舗システム３０から、ＶＰＮを介して、利用区分特定情報と、この利用区分特定情報に対応付けされた利用区分履歴を周期的に収集し、演奏履歴データベースに集約する。このデータベースサーバ４０は、楽曲ＩＤと曲名とアーティスト名を対応付けした楽曲目次データベースも備える。さらに、データベースサーバ４０は、インターネット（公衆通信網）を介してアクセスしてくるパソコンや携帯端末などの利用者コンピュータ５０と通信可能である。
【００２２】
また、リスト作成部を有していて、利用者コンピュータ５０から利用区分特定情報を受信した際、当該利用区分特定情報に対応付けされた利用区分履歴を演奏履歴データベースから抽出するとともに、楽曲目次データベースを参照し、利用区分履歴中の楽曲ＩＤに対応する曲名・アーティスト名のリストを作成して当該利用者コンピュータ５０へ送信する。送信するリストには演奏日時の情報も含められる。
【００２３】
利用者コンピュータ５０は、パソコンや携帯端末などのように、インターネット（公衆回線網）を介してデータベースサーバにアクセス可能な情報端末である。この利用者コンピュータ５０のユーザが、料金精算レシート３２に付加印刷されている利用区分特定情報をコンピュータ５０に入力してデータベースサーバ４０へ送信する操作を行うと、これを受信したデータベースサーバ４０が、その利用区分特定情報の送信元である利用者コンピュータ５０に対し、その利用区分特定情報に基づいて検索され作成された演奏曲目リストを返信する処理を行う。この返信を受けた利用者コンピュータ５０には、図４に例示するように、曲名・アーティスト名などの演奏曲リストが一覧表示される。
【００２４】
このとき、そのリストには演奏日時の情報も含めさせることが望ましい。これにより、カラオケを利用したときの情景が一層リアルに思い起こすことができるようになって、利用仲間との話題も豊富になるなどの利点が得られる。
【００２５】
レシート３２から利用者コンピュータ５０への利用区分特定情報の入力は、テンキーなどからの入力操作によって行わせるようにしてもよいが、カメラ機能を有する携帯端末などでは、バーコードやＱＲコードの画像読み込みによって行わせるようにしてもよい。この場合、精算レシート３２に付加印刷する利用区分特定情報の表記形態は、文字列と、バーコードまたはＱＲコードの並記とする。
【符号の説明】
【００２６】
１０  カラオケ装置
３０  カラオケ店舗システム
３１  ＰＯＳレジ
３２  料金精算レシート
４０  データベースサーバ
５０  利用者コンピュータ（パソコンや携帯端末）
【図１】
2010256424.tif 000003
【図２】
2010256424.tif 000004
【図３】
2010256424.tif 000005
【図４】
2010256424.tif 000006